(57)【要約】  基地局装置と移動局装置との間で無線通信を行う無線通信システムにおいて、前記移動局装置は、前記基地局装置から送信されたデータ信号を受信する受信部と、前記データ信号に対するＡＣＫ信号またはＮＡＣＫ信号を送信するときのチャネルの種類、変調方式及び符号化率の種類、割り当てリソース量、または前記移動局装置の送信アンテナ数のうちのいずれか１つのパラメータ又は複数のパラメータの組み合わせに応じて、前記データ信号に対するグループ化の単位を切り替えて、前記データ信号をグループ化する制御部と、前記グループ化されたグループごとに前記ＡＣＫ信号またはＮＡＣＫ信号を送信する送信部を備え、前記基地局装置は、前記データ信号を送信する送信部と、前記ＡＣＫ信号またはＮＡＣＫ信号を受信する受信部を備える。
2010109521.tif 000002
【特許請求の範囲】
【請求項１】
基地局装置と移動局装置との間で無線通信を行う無線通信システムにおいて、
前記移動局装置は、
前記基地局装置から送信されたデータ信号を受信する受信部と、
前記データ信号に対するＡＣＫ信号またはＮＡＣＫ信号を送信するときのチャネルの種類、変調方式及び符号化率の種類、割り当てリソース量、または前記移動局装置の送信アンテナ数のうちのいずれか１つのパラメータ又は複数のパラメータの組み合わせに応じて、前記データ信号に対するグループ化の単位を切り替えて、前記データ信号をグループ化する制御部と、
前記グループ化されたグループごとに前記ＡＣＫ信号またはＮＡＣＫ信号を送信する送信部を備え、
前記基地局装置は、
前記データ信号を送信する送信部と、
前記ＡＣＫ信号またはＮＡＣＫ信号を受信する受信部を備えることを特徴とする無線通信システム。
【請求項２】
前記制御部は、前記チャネルの種類が制御信号を送信するための制御信号用チャネルのとき、前記制御チャネルにより前記ＡＣＫ信号またはＮＡＣＫ信号を送信するときの変調多値数のうち最大変調多値数以下で、前記データ信号をグループ化することを特徴とする請求項１記載の無線通信システム。
【請求項３】
前記制御部は、前記チャネルの種類が制御信号を送信するための制御信号用チャネルで、かつ前記移動局装置の送信アンテナが複数のとき、前記制御チャネルにより前記ＡＣＫ信号またはＮＡＣＫ信号を送信するときの変調多値数のうち最大変調多値数に前記送信アンテナ数を乗算した個数でグループ化することを特徴とする請求項１記載の無線通信システム。
【請求項４】
前記制御部は、前記チャネルの種類が前記データ信号を送信するためのデータ信号用チャネルのとき、前記変調方式及び符号化率の種類、及び前記割り当てリソース量に応じて、前記グループ化の単位を切り替えることを特徴とする請求項１記載の無線通信システム。
【請求項５】
前記制御部は、前記チャネルの種類が前記データ信号を送信するためのデータ信号用チャネルで、かつ前記移動局装置の送信アンテナが複数のとき、各前記送信アンテナに対する前記変調方式及び符号化率の種類、及び前記割り当てリソース量に応じて、前記グループ化の単位を切り替えることを特徴とする請求項１記載の無線通信システム。
【請求項６】
前記グループ化の単位は、一または複数のトランスポートブロック単位、或いは一または複数のコードブロック単位であることを特徴とする請求項１記載の無線通信システム。
【請求項７】
前記基地局装置の送信部は、前記ＮＡＣＫ信号を受信したとき、前記ＮＡＣＫ信号に対応する前記グループに含まれる前記データ信号を再送することを特徴とする請求項１記載の無線通信システム。
【請求項８】
基地局装置と無線通信を行う移動局装置において、
前記基地局装置から送信されたデータ信号を受信する受信部と、
前記データ信号に対するＡＣＫ信号またはＮＡＣＫ信号を送信するときのチャネルの種類、変調方式及び符号化率の種類、割り当てリソース量、または前記移動局装置の送信アンテナ数のうちのいずれか１つのパラメータ又は複数のパラメータの組み合わせに応じて、前記データ信号に対するグループ化の単位を切り替えて、前記データ信号をグループ化する制御部と、
前記グループ化されたグループごとに前記ＡＣＫ信号またはＮＡＣＫ信号を送信する送信部と
を備えることを特徴とする移動局装置。
【請求項９】
移動局装置と無線通信を行う基地局装置において、
データ信号を送信する送信部と、
前記データ信号に対するＡＣＫ信号またはＮＡＣＫ信号を前記移動局装置が送信するときのチャネルの種類、変調方式及び符号化率の種類、割り当てリソース量、または前記移動局装置の送信アンテナ数のうちのいずれか１つのパラメータ又は複数のパラメータの組み合わせに応じて、前記データ信号に対するグループ化の単位が切り替えられて、前記データ信号がグループ化され、前記グループ化されたグループごとに前記移動局装置から送信された前記ＡＣＫ信号またはＮＡＣＫ信号を受信する受信部と、
を備えることを特徴とする基地局装置。
【請求項１０】
基地局装置と移動局装置との間で無線通信を行う無線通信システムにおける無線通信方法であって、
前記基地局装置はデータ信号を送信し、
前記移動局装置は前記データ信号を受信し、前記データ信号に対するＡＣＫ信号またはＮＡＣＫ信号を送信するときのチャネルの種類、変調方式及び符号化率の種類、割り当てリソース量、または前記移動局装置の送信アンテナ数のうちのいずれか１つのパラメータ又は複数のパラメータの組み合わせに応じて、前記データ信号に対するグループ化の単位を切り替えて、前記データ信号をグループ化し、前記グループ化されたグループごとに前記ＡＣＫ信号またはＮＡＣＫ信号を送信し、
前記基地局装置は前記ＡＣＫ信号またはＮＡＣＫ信号を受信する、
ことを特徴とする無線通信方法。
【発明の詳細な説明】
【技術分野】
【０００１】
本発明は、無線通信システム、移動局装置、基地局装置、及び無線通信システムにおける無線通信方法に関する。
【背景技術】
【０００２】
従来から、無線通信システムにおける再送制御技術としてＨＡＲＱ（Hybrid Automatic Repeat reQuest）がある。例えば、ＨＡＲＱは３ＧＰＰ  ＬＴＥで採用されている（例えば、以下の非特許文献１〜３）。【０００３】
移動局装置は、基地局装置から送信されたトランスポートブロック（以下、ＴＢ）に誤りがないと、ＵＣＩ（Uplink Control Information）を用いてＴＢ単位でＡＣＫをフィードバックし、誤りがあればＴＢ単位でＮＡＣＫをフィードバックする。基地局装置は、ＡＣＫを受信すると新規のＴＢを送信し、ＮＡＣＫを受信すると該当ＴＢを再送する（図１８（Ａ）〜同図（Ｄ）参照）。【０００４】
ＬＴＥでは、ＵＣＩを伝送する物理チャネルとして、データ信号を送信するためのＰＵＳＣＨ（Physical Uplink Shared Channel）と、制御信号を送信するためのＰＵＣＣＨ（Physical
Uplink Control Channel）の２種類のチャネルがある。移動局装置は、ＡＣＫまたはＮＡＣＫを送信するタイミングにおいて基地局装置からＰＵＳＣＨが割り当てられている場合、ＰＵＳＣＨを用いてＡＣＫまたはＮＡＣＫを送信する。一方、移動局装置は、ＰＵＳＣＨが割り当てられていない場合、ＰＵＣＣＨを用いてＡＣＫまたはＮＡＣＫを送信する。【０００５】
また、移動局装置は、ＴＢに複数のコードブロック（以下、ＣＢ）が含まれる場合に、ＣＢ単位でＡＣＫまたはＮＡＣＫを送信し、基地局装置はＣＢ単位で再送を行うようにした再送技術もある（例えば、以下の非特許文献４。図１９（Ａ）〜同図（Ｄ）参照）。
【非特許文献１】3GPPTS36.211 V8.3.0
【非特許文献２】3GPPTS36.212 V8.3.0
【非特許文献３】3GPPTS36.213 V8.3.0
【非特許文献４】3GPPTSG RAN WG1 R1-062597, "Number of HARQ Channels", Motorola
【発明の開示】
【発明が解決しようとする課題】
【０００６】
しかし、移動局装置は、常にＣＢ単位でＡＣＫまたはＮＡＣＫをフィードバックする場合、同時に複数のＣＢが基地局装置から送信されると、ＣＢの数に比例したＡＣＫまたはＮＡＣＫを送信する。この場合、上り方向のオーバヘッドが大きくなり、周波数利用効率が悪くなる。【０００７】
また、移動局装置は、常にＴＢ単位でＡＣＫまたはＮＡＣＫをフィードバックする場合、同時に複数のＴＢが基地局装置から送信されると、ＴＢの数に比例したＡＣＫまたはＮＡＣＫを送信する。この場合も同様に上り方向のオーバヘッドが大きくなり、周波数利用効率が悪くなる。【０００８】
そこで、本発明の目的の１つは、周波数利用効率を向上させるようにした無線通信システム、移動局装置、基地局装置、及び無線通信システムにおける無線通信方法を提供することにある。
【課題を解決するための手段】
【０００９】
一態様によれば、基地局装置と移動局装置との間で無線通信を行う無線通信システムにおいて、前記移動局装置は、前記基地局装置から送信されたデータ信号を受信する受信部と、前記データ信号に対するＡＣＫ信号またはＮＡＣＫ信号を送信するときのチャネルの種類、変調方式及び符号化率の種類、割り当てリソース量、または前記移動局装置の送信アンテナ数のうちのいずれか１つのパラメータ又は複数のパラメータの組み合わせに応じて、前記データ信号に対するグループ化の単位を切り替えて、前記データ信号をグループ化する制御部と、前記グループ化されたグループごとに前記ＡＣＫ信号またはＮＡＣＫ信号を送信する送信部を備え、前記基地局装置は、前記データ信号を送信する送信部と、前記ＡＣＫ信号またはＮＡＣＫ信号を受信する受信部を備える。【００１０】
また、他の態様によれば、基地局装置と無線通信を行う移動局装置において、前記基地局装置から送信されたデータ信号を受信する受信部と、前記データ信号に対するＡＣＫ信号またはＮＡＣＫ信号を送信するときのチャネルの種類、変調方式及び符号化率の種類、割り当てリソース量、または前記移動局装置の送信アンテナ数のうちのいずれか１つのパラメータ又は複数のパラメータの組み合わせに応じて、前記データ信号に対するグループ化の単位を切り替えて、前記データ信号をグループ化する制御部と、前記グループ化されたグループごとに前記ＡＣＫ信号またはＮＡＣＫ信号を送信する送信部とを備える。【００１１】
さらに、他の態様によれば、移動局装置と無線通信を行う基地局装置において、データ信号を送信する送信部と、前記データ信号に対するＡＣＫ信号またはＮＡＣＫ信号を前記移動局装置が送信するときのチャネルの種類、変調方式及び符号化率の種類、割り当てリソース量、または前記移動局装置の送信アンテナ数のうちのいずれか１つのパラメータ又は複数のパラメータの組み合わせに応じて、前記データ信号に対するグループ化の単位が切り替えられて、前記データ信号がグループ化され、前記グループ化されたグループごとに前記移動局装置から送信された前記ＡＣＫ信号またはＮＡＣＫ信号を受信する受信部とを備える。【００１２】
さらに、他の態様によれば、基地局装置と移動局装置との間で無線通信を行う無線通信システムにおける無線通信方法であって、前記基地局装置はデータ信号を送信し、前記移動局装置は前記データ信号を受信し、前記データ信号に対するＡＣＫ信号またはＮＡＣＫ信号を送信するときのチャネルの種類、変調方式及び符号化率の種類、割り当てリソース量、または前記移動局装置の送信アンテナ数のうちのいずれか１つのパラメータ又は複数のパラメータの組み合わせに応じて、前記データ信号に対するグループ化の単位を切り替えて、前記データ信号をグループ化し、前記グループ化されたグループごとに前記ＡＣＫ信号またはＮＡＣＫ信号を送信し、前記基地局装置は前記ＡＣＫ信号またはＮＡＣＫ信号を受信する。
【発明の効果】
【００１３】
周波数利用効率を向上させるようにした無線通信システム、移動局装置、基地局装置、及び無線通信システムにおける無線通信方法を提供することができる。
【図面の簡単な説明】
【００１４】
【図１】図１は無線通信システムの構成例を示す図である。
【図２】図２は基地局装置の構成例を示す図である。
【図３】図３は移動局装置の構成例を示す図である。
【図４】図４は動作例を示すフローチャートである。
【図５】図５（Ａ）〜図５（Ｄ）はグループ化の例を示す図である。
【図６】図６（Ａ）〜図６（Ｄ）はグループ化の他の例を示す図である。
【図７】図７は粒度決定テーブルの例を示す図である。
【図８】図８（Ａ）〜図８（Ｄ）はグループ化の他の例を示す図である。
【図９】図９（Ａ）〜図９（Ｄ）はグループ化の他の例を示す図である。
【図１０】図１０（Ａ）〜図１０（Ｄ）はグループ化の他の例を示す図である。
【図１１】図１１（Ａ）〜図１１（Ｄ）はグループ化の他の例を示す図である。
【図１２】図１２（Ａ）〜図１２（Ｄはグループ化の他の例を示す図である。
【図１３】図１３（Ａ）〜図１３（Ｄ）はグループ化の他の例を示す図である。
【図１４】図１４は粒度決定テーブルの他の例を示す図である。
【図１５】図１５（Ａ）〜図１５（Ｄ）はグループ化の他の例を示す図である。
【図１６】図１６（Ａ）〜図１６（Ｄ）はグループ化の他の例を示す図である。
【図１７】図１７（Ａ）〜図１７（Ｄ）はグループ化の他の例を示す図である。
【図１８】図１８（Ａ）〜図１８（Ｄ）はグループ化の従来例を示す図である。
【図１９】図１９（Ａ）〜図１９（Ｄ）はグループ化の他の従来例を示す図である。
【符号の説明】
【００１５】
１：無線通信システム                  １０：基地局装置
１１‐１〜１１‐ｎ：トランスポートブロックＣＲＣ付加部
１２‐１〜１２‐ｎ：コードブロック分割ＣＲＣ付加部
１３‐１〜１３‐ｎ：チャネル符号化部
１４‐１〜１４‐ｎ：レートマッチング部
１５：再送ビット選択部                １６：変調部
１７‐１〜１７‐ｎ：無線処理部        １８‐１〜１８‐ｎ：送信アンテナ
２０：制御信号生成部                  ２１‐１〜２１‐ｍ：受信アンテナ
２２‐１〜２２‐ｍ：無線処理部        ２３：ＡＣＫ／ＮＡＣＫ情報復調部
２４：スケジューリング情報記憶部      ２５：再送粒度決定テーブル記憶部
２６：再送粒度制御部                  ３０：移動局装置
３１‐１〜３１‐ｋ：受信アンテナ      ３２‐１〜３２‐ｋ：無線処理部
３３：復調部                          ３４：再送ビット判断部
３５‐１〜３５‐ｋ：デレートマッチング部
３６‐１〜３６‐ｋ：チャネル復号部    
３７‐１〜３７‐ｋ：コードブロックＣＲＣ判定部
３８‐１〜３８‐ｋ：トンラスポートブロックＣＲＣ判定部
４０：制御信号受信部                  ４１：再送粒度決定テーブル記憶部
４２：スケジューリング情報記憶部      ４３：再送粒度制御部
４４：ＡＣＫ／ＮＡＣＫ情報生成部      ４５：ＡＣＫ／ＮＡＣＫ情報変調部
４６‐１〜４６‐ｊ：無線処理部        ４７‐１〜４７‐ｊ：送信アンテナ
【発明を実施するための最良の形態】
【００１６】
本発明を実施するための形態について以下説明する。【００１７】
＜第１の実施例＞
第１の実施例について説明する。図１は無線通信システム１の構成例を示す図である。基地局装置１０と移動局装置３０との間で無線通信を行う無線通信システム１において、前記移動局装置３０は、前記基地局装置１０から送信されたデータ信号を受信する受信部４８と、前記データ信号に対するＡＣＫ信号またはＮＡＣＫ信号を送信するときのチャネルの種類（C）、変調方式及び符号化率の種類（M）、割り当てリソース量（R）、または前記移動局装置３０の送信アンテナ数（A）のうちのいずれか１つのパラメータ（C又はM又はR又はA）又はこれらのパラメータ（C, M, R, A）の組み合わせ（CとM、CとR、CとA、CとMとR、CとMとA、CとRとA、CとMとRとA、MとR、MとA、MとRとA、又は、RとA）に応じて、前記データ信号に対するグループ化の単位を切り替えて、前記データ信号をグループ化する制御部４９と、前記グループ化されたグループごとに前記ＡＣＫ信号またはＮＡＣＫ信号を送信する送信部５０を備え、前記基地局装置１０は、前記データ信号を送信する送信部２８と、前記ＡＣＫ信号またはＮＡＣＫ信号を受信する受信部２９を備える。【００１８】
移動局装置３０の制御部４９は、基地局装置１０から送信されたデータ信号に対するグループ化の単位を、ＡＣＫ信号またはＮＡＣＫ信号を送信するときのチャネルの種類、変調方式及び符号化率の種類、割り当てリソース量、または移動局装置３０の送信アンテナ数のうちのいずれか１つのパラメータ又はこれらのパラメータの組み合わせに応じて切り替えて、データ信号をグループ化する。そして、送信部５０はグループ化されたグループごとに１つのＡＣＫ信号（グループ内で誤りがないことを示す）または１つのＮＡＣＫ信号（グループ内で誤りがあることを示す）を基地局装置１０に送信する。【００１９】
このように、移動局装置３０は、チャネルの種類等に応じてデータ信号のグループ化を変え、そのグループごとにＡＣＫ信号またはＮＡＣＫ信号を送信している。従って、常にトランスポートブロック単位またはコードブロック単位でＡＣＫ信号またはＮＡＣＫ信号が送信される場合と比較して、周波数利用効率の向上を図ることができる。【００２０】
＜第２の実施例＞
次に第２の実施例について説明する。図２は無線通信システム１における基地局装置（以下、基地局）１０、図３は移動局装置（以下、移動局）３０の各構成例を示す図である。【００２１】
基地局１０は、トランスポートブロックＣＲＣ付加部（以下、ＴＢＣＲＣ付加部）１１‐１〜１１‐ｎ（ｎは２以上の整数）と、コードブロック分割ＣＲＣ付加部（以下、ＣＢ分割ＣＲＣ付加部）１２‐１〜１２‐ｎと、チャネル符号化部１３‐１〜１３‐ｎと、レートマッチング部１４‐１〜１４‐ｎと、再送ビット選択部１５と、変調部１６と、無線処理部１７‐１〜１７‐ｎと、送信アンテナ１８‐１〜１８‐ｎと、制御信号生成部２０と、受信アンテナ２１‐１〜２１‐ｍ（ｍは２以上の整数）と、無線処理部２２‐１〜２２‐ｍと、ＡＣＫ／ＮＡＣＫ情報復調部２３と、スケジューリング情報記憶部２４と、再送粒度決定テーブル記憶部２５と、再送粒度制御部２６とを備える。【００２２】
第１の実施例における送信部２８は、例えば、ＴＢＣＲＣ付加部１１‐１〜１１‐ｎ、ＣＢ分割ＣＲＣ付加部１２‐１〜１２‐ｎ、チャネル符号化部１３‐１〜１３‐ｎ、レートマッチング部１４‐１〜１４‐ｎ、変調部１６、無線処理部１７‐１〜１７ｎ、及び送信アンテナ１８‐１〜１８‐ｎに対応する。また、第１の実施例における受信部２９は、例えば、受信アンテナ２１‐１〜２１‐ｍ、無線処理部２２‐１〜２２‐ｍ、ＡＣＫ／ＮＡＣＫ情報復調部２３に対応する。【００２３】
ＴＢＣＲＣ付加部１１‐１〜１１‐ｎは、トランスポートブロック（以下、ＴＢ）と呼ばれるデータビット系列に、誤り検出用のＣＲＣ（Cyclic Redundancy Code）を付加する。ＴＢは、例えば、基地局１０または移動局３０がデータ信号を送信する場合の基本単位である。ＴＢのサイズは予め決められたものでもよいし、伝搬路状況等に応じて可変にしてもよい。【００２４】
ＣＢ分割ＣＲＣ付加部１２‐１〜１２‐ｎは、ＴＢに含まれるデータビット系列のビット数が閾値以上のビット数のとき、ＴＢを複数のコードブロック（以下、ＣＢ）に分割する。そして、ＣＢ分割ＣＲＣ付加部１２‐１〜１２‐ｎは各コードブロックにＣＲＣを付加して出力する。【００２５】
チャネル符号化部１３‐１〜１３‐ｎは、ＣＢに含まれるデータ信号に対してチャネル符号化を行う。【００２６】
レートマッチング部１４‐１〜１４‐ｎは、チャネル符号化部１３‐１〜１３‐ｎから出力された組織ビット及びパリティビットに対して、サブブロックインターリーブ等を行うことでレートマッチング処理を行う。【００２７】
再送ビット選択部１５は、再送粒度制御部２６からの信号に基づいて、レートマッチング部１４‐１〜１４‐ｎからの出力のうち再送対象の送信ビットを選択して出力する。ただし、再送ビット選択部１５はデータ信号を初回送信するときは、レートマッチング部１４‐１〜１４‐ｎからの出力をすべて変調部１６に出力する。【００２８】
変調部１６は、再送ビット選択部１５からの出力に対して、基地局１０が決定したＭＣＳに従い、変調を行う。【００２９】
無線処理部１７‐１〜１７‐ｎは、変調部１６からの出力に対して、サブキャリアマッピング、時間領域への信号への変換等の処理を行い、無線信号を出力する。無線信号は送信アンテナ１８‐１〜１８‐ｎを介して移動局３０に送信される。【００３０】
なお、図２に示す基地局１０は、ＭＩＭＯ空間多重伝送を行う場合の例である。例えば、基地局１０がＭＩＭＯ伝送を行わない場合は、基地局１０は、ＴＢＣＲＣ付加部１１‐１、ＣＢ分割ＣＲＣ付加部１２‐１、チャネル符号化部１３‐１、レートマッチング部１４‐１を備えるようにしてもよい。【００３１】
制御信号生成部２０は、スケジューリング情報記憶部２４からスケジューリング情報を読み出し、スケジューリング情報を含む制御信号を生成し、変調部１６に出力する。制御信号とデータ信号とは送信アンテナ１８‐１〜１８‐ｎを介して移動局３０に送信される。なお、スケジューリング情報には、移動局３０に対するＰＵＳＣＨの割り当て、ＭＣＳ（Modulation & Coding scheme）、ＰＵＳＣＨを割り当てた場合の割り当てリソースブロック（以下、ＲＢ）数、ＭＩＭＯ伝送を行うときの空間多重度等の情報が含まれる。【００３２】
受信アンテナ２１‐１〜２１‐ｍは、移動局３０から送信された無線信号を受信する。【００３３】
無線処理部２２‐１〜２２‐ｍは、受信アンテナ２１‐１〜２１‐ｍで受信した無線信号に対して、サブキャリアデマッピング処理等を行う。【００３４】
ＡＣＫ／ＮＡＣＫ情報復調部２３は、移動局３０からの無線信号のうち、ＡＣＫまたはＮＡＣＫ情報を復調し、復調したＡＣＫまたはＮＡＣＫ情報を再送粒度制御部２６に出力する。【００３５】
スケジューリング情報記憶部２４は、上述したスケジューリング情報を記憶する。【００３６】
再送粒度決定テーブル記憶部２５は、再送制御の粒度を決定するための再送粒度決定テーブルを記憶する。詳細は後述する。【００３７】
再送粒度制御部２６は、再送粒度決定テーブル記憶部２５に記憶された再送粒度決定テーブル、または最大変調多値数等に基づいて、再送制御の粒度を決定する。再送粒度制御部２６は、どのグループに対してＡＣＫ情報またはＮＡＣＫ情報がフィードバックされたかを判断し、ＮＡＣＫ情報がフィードバックされたグループに属する送信ビットを特定する。再送粒度制御部２６は特定情報を含む信号を再送ビット選択部１５に出力する。再送ビット選択部１５は特定情報に基づいて、再送対象の送信ビットを選択し、変調部１６に出力する。粒度決定の詳細は後述する。【００３８】
また、再送粒度制御部２６は、スケジューリング情報をＡＣＫ／ＮＡＣＫ情報復調部２３に出力する。ＡＣＫ／ＮＡＣＫ情報復調部２３は、スケジューリング情報に基づいて、移動局３０から送信されるＡＣＫまたはＮＡＣＫを復調する。【００３９】
次に移動局３０の構成例を説明する。移動局３０は、受信アンテナ３１‐１〜３１‐ｋと、復調部３３と、再送ビット判断部３４と、デレートマッチング部３５‐１〜３５‐ｋと、チャネル復号部３６‐１〜３６‐ｋと、コードブロックＣＲＣ判定部（以下、ＣＢＣＲＣ判定部）３７‐１〜３７‐ｋ（ｋは２以上の整数）と、トランスポートブロックＣＲＣ判定部３８‐１〜３８‐ｋと、制御信号受信部４０と、再送粒度決定テーブル記憶部４１と、スケジューリング情報記憶部４２と、再送粒度制御部４３と、ＡＣＫ／ＮＡＣＫ情報生成部４４と、ＡＣＫ／ＮＡＣＫ情報変調部４５と、無線処理部４６‐１〜４６‐ｊ（ｊは２以上の整数）と、送信アンテナ４７‐１〜４７‐ｊとを備える。【００４０】
第１の実施例における受信部４８は、例えば、受信アンテナ３１‐１〜３１‐ｋ、無線処理部３２‐１〜３２‐ｋ、復調部３３、デレートマッチング部３５‐１〜３５‐ｋ、チャネル復号部３６‐１〜３６‐ｋ、ＴＢＣＲＣ判定部３８‐１〜３８‐ｋに対応する。また、第１の実施例における制御部４９は、例えば、再送粒度制御部４３に対応する。さらに、第１の実施例における送信部５０は、ＡＣＫ／ＮＡＣＫ情報生成部４４と、ＡＣＫ／ＮＡＣＫ情報変調部４５と、無線処理部４６‐１〜４６‐ｊと、送信アンテナ４７‐１〜４７‐ｊに対応する。【００４１】
受信アンテナ３１‐１〜３１‐ｋは基地局１０から送信された無線信号を受信する。【００４２】
無線処理部３２‐１〜３２‐ｋは、受信した無線信号に対して、サブキャリアデマッピング等の処理を行う。【００４３】
復調部３３は、無線処理部３２‐１〜３２‐ｋからの出力信号を復調する。復調部３３は、復調後のデータ信号を再送ビット判断部３４に出力し、復調後の制御信号を制御信号受信部４０に出力する。【００４４】
再送ビット判断部３４は、再送粒度制御部４３からの要求信号に基づいて、復調部３３からの出力のうち、基地局１０から再送されたデータ信号に含まれる再送ビットを選択して出力する。なお、再送ビット判断部３４は初回に基地局１０から送信されたデータ信号に対してはそのままデレートマッチング部３５‐１〜３５‐ｋに出力する。【００４５】
デレートマッチング部３５‐１〜３５‐ｋは、再送ビット判断部３４から出力された復調後の信号に対して、デレートマッチング処理を行う。【００４６】
チャネル復号部３６‐１〜３６‐ｋは、デレートマッチング部３５‐１〜３５‐ｋからの出力信号を復号する。【００４７】
ＣＢＣＲＣ判定部３７‐１〜３７‐ｋは、復号後のデータ信号に対して、ＣＢごとにＣＲＣを用いて誤り判定を行い、誤りがあればＣＲＣを用いて誤り訂正を行い、訂正後のデータ信号とともに当該ＣＢに誤りがあったことを示す信号を出力する。ＣＢＣＲＣ判定部３７‐１〜３７‐ｋは、誤りがないとき、その旨を示す信号と復号後のデータ信号とを出力する。【００４８】
ＴＢＣＲＣ判定部３８‐１〜３８‐ｋは、ＣＢＣＲＣ判定部３７‐１〜３７‐ｋからの出力に対して、ＴＢごとにＴＢに付加されたＣＲＣを用いて誤り判定を行い、誤りがあればＣＲＣを用いて誤り訂正を行い、訂正後のデータ信号と誤りがあった旨を示す信号を出力する。ＴＢＣＲＣ判定部３８‐１〜３８‐ｋは、誤りがないとき、その旨を示す信号と復号後のデータ信号とを出力する。【００４９】
制御信号受信部４０は、復調後の制御信号を復号等し、復号後の制御信号に含まれるスケジューリング情報をスケジューリング情報記憶部４２に記憶する。【００５０】
再送粒度決定テーブル記憶部４１は、基地局１０と同様に、再送粒度を決定するための再送粒度決定テーブルを記憶する。再送粒度決定テーブルの詳細は後述する。【００５１】
スケジューリング情報記憶部４２は、基地局１０の保持するスケジューリング情報と同様に、ＰＵＳＣＨの割り当て、ＭＣＳ、割り当てリソースブロック（以下、ＲＢ）数、ＭＩＭＯ伝送を行うときの空間多重度等の情報等を記憶する。【００５２】
再送粒度制御部４３は、基地局１０と同様に、再送粒度決定テーブル記憶部４１に記憶された再送粒度決定テーブル、最大変調多値数等に基づいて、再送制御のための粒度を決定する。再送粒度制御部４３は、決定した粒度に基づいて、どのコードブロックがどのグループに属するかを示すグループ化情報をＡＣＫ／ＮＡＣＫ情報生成部４４に出力する。なお、最大変調多値数は、再送粒度制御部４３に記憶されてもよいし、再送粒度決定テーブル記憶部４１に記憶されてもよい。粒度決定の詳細は後述する。【００５３】
ＡＣＫ／ＮＡＣＫ情報生成部４４は、グループ化情報に基づいて、グループ単位にＡＣＫまたはＮＡＣＫ情報を生成する。例えば、ＡＣＫ／ＮＡＣＫ情報生成部４４は、グループ内に含まれるＣＢのうち一つでも誤りが含まれていれば、当該グループに対してＮＡＣＫ情報を生成し、グループに含まれるＣＢの全てに誤りがなければＡＣＫ情報を生成する。【００５４】
ＡＣＫ／ＮＡＣＫ情報変調部４５は、ＡＣＫ／ＮＡＣＫ情報生成部４４から出力されたＡＣＫ情報及びＮＡＣＫ情報を変調する。【００５５】
無線処理部４６‐１〜４６‐ｊは、変調後のＡＣＫ情報及びＮＡＣＫ情報に対して、サブキャリアマッピング等の処理を行い、無線信号に変換する。変換後の無線信号は送信アンテナ４７‐１〜４７‐ｊから基地局１０に送信される。移動局３０が上りリンクにおいてＭＩＭＯ伝送を行う場合は、無線処理部４６‐１〜４６‐ｊと、送信アンテナ４７‐１〜４７‐ｊを用い、ＭＩＭＯ伝送を行わない場合は、例えば無線処理部４６‐１と送信アンテナ４７‐１を用いる。【００５６】
次に動作について説明する。図４は動作例を示すフローチャート、図５（Ａ）〜同図（Ｄ）はグループ化の例等を示す図である。【００５７】
最初に、基地局１０はデータ信号及び制御信号を移動局３０に初回送信する（Ｓ１０）。データ信号はＴＢＣＲＣ付加部１１‐１〜１１‐ｎからＣＢ分割ＣＲＣ付加部１２‐１〜１２‐ｎ等を介して、制御信号は制御信号生成部２０から変調部１６等を介して、移動局３０にそれぞれ送信される。【００５８】
このとき、基地局１０は、移動局３０に対してデータ信号送信用のＰＵＳＣＨを割り当てている場合、当該割り当てを示す情報を制御信号に含めて送信する（Ｓ１１）。【００５９】
次いで、移動局３０は、データ信号と制御信号を復調及び復号する（Ｓ１２）。例えば、移動局３０の復調部３３がデータ信号と制御信号とを復調し、チャネル復号部３６‐１がデータ信号、制御信号受信部４０が制御信号をそれぞれ復号する。【００６０】
次いで、移動局３０の再送粒度制御部４３は再送粒度判定を行う（Ｓ１３）。再送粒度の判定は、ＡＣＫ及びＮＡＣＫの各情報をフィードバックするタイミングで移動局３０にＰＵＳＣＨが割り当てられた場合と、割り当てられない場合の２つの場合がある。【００６１】
ＰＵＳＣＨが割り当てられた場合、移動局３０はデータ信号送信用のＰＵＳＣＨにＡＣＫ及びＮＡＣＫの各情報を多重して送信する。一方、ＰＵＳＣＨが割り当てられていない場合、移動局３０は、制御信号送信用のＰＵＣＣＨにＡＣＫ及びＮＡＣＫの各情報を多重して送信する。基地局１０はＰＵＳＣＨを割り当てるか否かをスケジューリングにより決定する。移動局３０は、ＰＵＳＣＨが割り当てられた場合、ＰＵＳＣＨが割り当てられていない場合と比較して、多くのＡＣＫ及びＮＡＣＫの情報を送信することが可能となる。【００６２】
ＰＵＳＣＨの割り当ての有無は、制御信号として基地局１０から送信され、スケジューリング情報記憶部４２に記憶されるため、再送粒度制御部４３は、スケジューリング情報記憶部４２に記憶されたスケジューリング情報から判断できる。【００６３】
移動局３０の再送粒度制御部４３は、チャネルの種類により、データ信号に対するグループ化を切り替えて、そのグループ単位でＡＣＫ及びＮＡＣＫを送信する。以下、詳細に説明する。【００６４】
再送粒度制御部４３は、ＰＵＳＣＨが割り当てられていない場合、ＰＵＣＣＨがサポートする変調方式の中での最大変調多値数と等しいグループで１つのＴＢをグループ化する（Ｓ１３）。変調多値数はその変調多値数において送信できるビット数であり、例えば、「１６ＱＡＭ」の場合は「４」、「６４ＱＡＭ」の場合は「６」となる。最大変調多値数は、例えば、ＰＵＣＣＨが「ＢＰＳＫ」及び「ＱＰＳＫ」をサポートする場合、「２」となる。また、ＰＵＣＣＨが「ＢＰＳＫ」、「ＱＰＳＫ」、及び「１６ＱＡＭ」をサポートする場合、「４」となる。【００６５】
図５（Ａ）に示す例は、基地局１０は、ＰＵＳＣＨの割り当てを行わず、４つのコードブロック（ｃｏｄｅ  ｂｌｏｃｋ＃１〜ｃｏｄｅ  ｂｌｏｃｋ＃４）を１つのＴＢとしてデータ信号を送信した場合の例を示す。最大変調多値数が「２」（例えば、変調方式がＱＰＳＫ）のとき、再送粒度制御部４３は１つのＴＢを「２」個のグループに分割する。再送粒度制御部４３は、ｃｏｄｅ  ｂｌｏｃｋ＃１とｃｏｄｅ  ｂｌｏｃｋ＃２とでグループ＃１を生成し、ｃｏｄｅ  ｂｌｏｃｋ＃３とｃｏｄｅ  ｂｌｏｃｋ＃４とでグループ＃２を生成する。グループ化は一例であり、ＴＢ内において２グループにグループ化されていれば、どのような組み合わせでもよい。最大変調多値数は、例えば、再送粒度決定テーブル記憶部４１に記憶されてもよいし、再送粒度制御部２６に記憶されてもよい。【００６６】
図４に戻り、再送粒度制御部４３は、どのコードブロックがどのグループに属するかを示すグループ化情報をＡＣＫ／ＮＡＣＫ情報生成部４４に出力する。ＡＣＫ／ＮＡＣＫ情報生成部４４は、グループ単位でＡＣＫまたはＮＡＣＫの各情報を生成する（Ｓ１４）。【００６７】
図５（Ｂ）の例は、ｃｏｄｅ  ｂｌｏｃｋ＃１に誤りが発生しているため、ＡＣＫ／ＮＡＣＫ情報生成部４４は、グループ＃１に対してＮＡＣＫ情報を生成し、グループ＃２に対してＡＣＫ情報を生成し、（ＮＡＣＫ，ＡＣＫ）を出力する。【００６８】
そして、移動局３０はＡＣＫ及びＮＡＣＫの各情報を変調し（Ｓ１５）、ＰＵＣＣＨに多重して基地局１０に送信する（Ｓ１６）。図５（Ｂ）の例では、移動局３０は（ＮＡＣＫ，ＡＣＫ）を基地局１０に送信する（図５（Ｃ））。なお、ＡＣＫ／ＮＡＣＫ情報変調部４５は、最大変調多値数に対応する変調方式でＡＣＫまたはＮＡＣＫを変調する。【００６９】
基地局１０は、ＡＣＫ及びＮＡＣＫの各情報を受信すると、ＡＣＫ／ＮＡＣＫ情報復調部２３でＡＣＫ及びＮＡＣＫの各情報を復調し、再送粒度制御部２６に出力する。再送粒度制御部２６は、再送粒度の判定（または決定）、すなわちグループ化を行う（Ｓ１７）。【００７０】
グループ化は、移動局３０の場合と同様であり、再送粒度制御部２６は移動局３０に対する最大変調多値数に基づいて、ＴＢを当該最大変調多値数と等しい数のグループに分割する。そして、再送粒度制御部２６は、ＮＡＣＫ情報がフィードバックされたグループを特定し、当該グループに含まれる送信ビットの再送を再送ビット選択部１５に要求する。再送ビット選択部１５は、当該要求に基づいて再送ビットを選択して変調部１６に出力する（Ｓ１８）。そして、再送ビットを含む再送データ信号は移動局３０に送信される（Ｓ１９）。【００７１】
図５（Ｃ）に示す例では、再送粒度制御部２６は、ＮＡＣＫに対応するグループ＃１を特定し、グループ＃１に含まれるコードブロック（ｃｏｄｅ  ｂｌｏｃｋ＃１とｃｏｄｅ  ｂｌｏｃｋ＃２）が選択されるように、再送ビット選択部１５に特定情報を出力する。基地局１０からは、グループ＃１の２つのコードブロックに含まれるデータ信号が移動局３０に再送される。【００７２】
次いで、移動局３０は、再送粒度判定で用いたグループ化情報に基づいて、再送されたデータ信号に対するＡＣＫまたはＮＡＣＫを判定する（Ｓ２０，Ｓ２１）。図５（Ｄ）の例は、再送されたグループ＃１に含まれるＣＢに誤りがないため、移動局３０は、（ＡＣＫ）を基地局１０に送信する。【００７３】
次に、ＰＵＳＣＨが移動局３０に割り当てられた場合の再送粒度の判定例等について説明する。図６（Ａ）〜同図（Ｄ）はグループ化の例等を示す図である。【００７４】
基地局１０は、移動局３０に対するＰＵＳＣＨの割り当て情報、ＭＣＳ、上り方向の割り当てリソースブロック（以下、ＲＢ）数を含む制御信号を生成し、移動局３０に送信する（Ｓ１１）。図６（Ａ）の例は、割り当てＲＢ数は「１０」、ＭＣＳは変調方式が「６４ＱＡＭ」で符号化率が「８／９」である。【００７５】
次いで、移動局３０はデータ信号と制御信号を復調及び復号し（Ｓ１２）、再送粒度の判定、すなわちグループ化を行う（Ｓ１３）。再送粒度制御部４３は、ＭＣＳと、スケジューリング割り当てＲＢ数とから、再生粒度決定テーブル４１にアクセスして、該当するグループ化の個数を読み出す。【００７６】
図７は、再送粒度決定テーブル記憶部４１に記憶された再送粒度決定テーブルの例を示す図である。再送粒度決定テーブルには、ＭＣＳの各情報と、ＲＢ数と、対応するグループ化の個数が記憶される。再送粒度決定テーブルにおいて、変調方式が６４ＱＡＭで符号化率が「８／９」の場合、変調方式がＱＰＳＫで符号化率が「１／９」の場合と比較して、グループ化の数が多い。これは、前者の方が後者と比較して多くの情報を送信することができ、従って移動局３０は多くのＡＣＫ及びＮＡＣＫの各情報が送信できるからである。【００７７】
図６（Ａ）の例では、変調方式が「６４ＱＡＭ」、符号化率が「８／９」、ＲＢ数が「１０」のため、グループ化の数は「４」となる。再送粒度制御部４３は、ＴＢ内を４つのグループに分割する。【００７８】
次いで、ＡＣＫ／ＮＡＣＫ情報生成部４４は、グループ単位でＡＣＫ及びＮＡＣＫの各情報を生成し（Ｓ１４）、基地局１０に送信する（Ｓ１５〜Ｓ１６）。図６（Ｂ）の例では、ＡＣＫ／ＮＡＣＫ情報生成部４４は、グループ＃１に対してＮＡＣＫ情報、それ以外の３つのグループに対してＡＣＫ情報を生成し、（ＮＡＣＫ，ＡＣＫ，ＡＣＫ，ＡＣＫ）をＰＵＳＣＨに多重して基地局１０に送信する。【００７９】
基地局１０の再送粒度制御部２６は、同様にグループ化し、ＮＡＣＫ情報に対応するｃｏｄｅ  ｂｌｏｃｋ＃１を特定する（Ｓ１７）。再送ビット選択部１５は当該ＣＢに含まれる再送ビットを選択して出力する。基地局１０はＮＡＣＫ情報に対応するデータ信号を再送する（Ｓ１８〜Ｓ１９）。【００８０】
移動局３０のＡＣＫ／ＮＡＣＫ情報生成部４４は再送されたｃｏｄｅ  ｂｌｏｃｋ＃１に対して誤りがないとＡＣＫ情報を生成して基地局１０に送信し、誤りがあればＮＡＣＫ情報を基地局１０に送信する（Ｓ２０〜Ｓ２１）。図６（Ｄ）の例では、誤りがないため、移動局３０は（ＡＣＫ）を基地局１０に送信する。【００８１】
この例の場合、ＴＢはＣＢごとにグループ化され、移動局３０はＣＢ単位でＡＣＫ及びＮＡＣＫをフィードバックする。【００８２】
図８（Ａ）〜同図（Ｄ）はグループ化の他の例を示す図である。これらの図の例は、ＰＵＳＣＨの割り当てがあり、ＲＢ数は「１」、ＭＣＳとして変調方式はＱＰＳＫ、符号化率は１／９の例である。【００８３】
この場合、移動局３０の再送粒度制御部４３は、再送粒度決定テーブル（図７）から、グループ化の個数「２」を得て、ＴＢ内を２つのグループにグループ化する（図８（Ａ）及び同図（Ｂ））。ＡＣＫ／ＮＡＣＫ情報生成部４４は、グループ＃１のｃｏｄｅ  ｂｌｏｃｋ＃１に誤りがあるため、（ＮＡＣＫ，ＡＣＫ）を生成する。これらの情報はＰＵＳＣＨに多重されて基地局１０に送信される。【００８４】
基地局１０は、再送対象のグループ＃１に含まれるデータ信号を再送し、移動局３０は再送されたデータ信号に対して、グループ＃１に対するＡＣＫまたはＮＡＣＫをフィードバックする（図８（Ｃ）及び同図（Ｄ））。【００８５】
このように、本第２の実施例の移動局３０は、割り当てられたチャネルの種類に応じて、ＴＢのグループ化の個数、すなわち再送制御の粒度を切替えるようにしている。したがって、移動局３０は割り当てられたチャネルの種類に応じた最適な個数のＡＣＫ及びＮＡＣＫを基地局１０に送信できるため、常にＴＢ単位またはＣＢ単位でＡＣＫ及びＮＡＣＫを送信する場合と比較して、周波数利用効率を向上させることができる。【００８６】
また、ＰＵＳＣＨが割り当てられた場合に、移動局３０はＭＣＳの種類に応じて最適な個数のＡＣＫ及びＮＡＣＫに切り替えて送信するようにしている。従って、本第２の実施例は、移動局３０が常にＴＢ単位またはＣＢ単位でＡＣＫ及びＮＡＣＫを送信する場合と比較して、周波数利用効率を向上させることができる。【００８７】
さらに、ＰＵＳＣＨが割り当てられた場合、移動局３０はＲＢ数に応じて最適な個数のＡＣＫ及びＮＡＣＫに切り替えて送信するようにしている。従って、本第２の実施例は、移動局３０が常にＴＢ単位またはＣＢ単位でＡＣＫ及びＮＡＣＫを送信する場合と比較して、リソース量に応じた最適な量のＡＣＫ／ＮＡＣＫを送信できるため、周波数利用効率を向上させることができる。【００８８】
＜第３の実施例＞
次に第３の実施例について説明する。第３の実施例は、上りリンクにおいてＭＩＭＯ空間多重伝送が適用される場合の例である。この場合も、第２の実施例と同様にＡＣＫ及びＮＡＣＫをフィードバックするタイミングでＰＵＳＣＨの割り当てがある場合とない場合とで分けて説明する。【００８９】
まず、ＰＵＳＣＨの割り当てがない場合の例を説明する。図９（Ａ）〜同図（Ｄ）はかかる場合のグループ化の例等を示す図である。なお、第２の実施例と同様に、ＰＵＣＣＨで送信するときの最大変調多値数は「２」の例（例えば、ＱＰＳＫ）で説明する。【００９０】
基地局１０は、データ信号を移動局３０に送信する（Ｓ１０）。また、基地局１０は上りリンクの空間多重度を制御信号に含めて送信する。上りリンク方向の空間多重度の情報は、スケジューリング情報記憶部２４に記憶され、制御信号生成部２０はかかる情報を読み出して制御信号を生成する。【００９１】
再送粒度制御部４３は再送粒度判定、すなわちグループ化を決定する（Ｓ１３）。本第３の実施例では、複数の送信アンテナ４７‐１〜４７‐ｊからＭＩＭＯ多重伝送によりＡＣＫ及びＮＡＣＫを送信できるため、再送粒度制御部４３は、ＴＢを（最大変調多値数×空間多重度）の個数にグループ化する。図９（Ａ）の例では、最大変調多値数は「２」、空間多重度は「２」であるため、ＴＢを「４」グループに分割する。【００９２】
次いで、ＡＣＫ／ＮＡＣＫ情報生成部４４は、グループ＃１，＃２に対応する（ＮＡＣＫ，ＡＣＫ）を生成し、グループ＃３，＃４に対応する（ＡＣＫ，ＡＣＫ）を生成する。前者は送信アンテナ４７‐１から送信され、後者は送信アンテナ４７‐２から送信される（Ｓ１６、図９（Ｂ））。【００９３】
基地局１０の再送粒度制御部２６は、ＮＡＣＫに対応するグループ＃１に含まれるデータ信号を選択し、再送ビット選択部１５はグループ＃１に含まれる再送ビットを再送データ信号として移動局３０に送信する（Ｓ１７〜Ｓ１９、図９（Ｃ））。【００９４】
移動局３０のＡＣＫ／ＮＡＣＫ情報生成部４４は、再送データ信号に誤りがないため、グループ＃１に対する（ＡＣＫ）を生成し、基地局１０にフィードバックする（図９（Ｄ））。【００９５】
この例の場合、グループ化の単位はコードブロック単位となり、コードブロック単位でＡＣＫ及びＮＡＣＫがフィードバックされる。【００９６】
次に、ＰＵＳＣＨが割り当てられた場合について説明する。図１０（Ａ）〜同図（Ｄ）はグループ化の例等を示す図である。【００９７】
基地局１０は、データ信号を送信する（Ｓ１０）。また、基地局１０は、ＰＵＳＣＨ割り当て、ＲＢ数「５」、空間多重度「２」、ある上りリンクに対して変調方式「１６ＱＡＭ」で符号化率「２／３」、他の上りリンクに対して変調方式「ＱＰＳＫ」で符号化率「１／６」、の各情報を含む制御信号を生成し送信する（Ｓ１１）。【００９８】
移動局３０の再送粒度制御部４３は、再送粒度決定テーブルから、「１６ＱＡＭ」のリンクについてのグループ化の個数「３」、「ＱＰＳＫ」のリンクについてのグループ化の個数「２」を読み出す。そして、再送粒度決定テーブルは、ＴＢのグループ化の個数としてこれらを加算した「５」を再送粒度として決定する（Ｓ１３）。ただし、図１０（Ｂ）に示すように、１つのＴＢにおいてＣＢ数は４つのため、再送粒度制御部４３は「４」グループに分割する。【００９９】
ＡＣＫ／ＮＡＣＫ情報生成部４４は、グループ＃１〜＃３に対して（ＮＡＣＫ，ＡＣＫ，ＡＣＫ）を生成し、グループ＃４に対して（ＡＣＫ）を生成する。（ＮＡＣＫ，ＡＣＫ，ＡＣＫ）は送信アンテナ４７‐１から送信され、（ＡＣＫ）は送信アンテナ４７‐２から送信される（Ｓ１４〜Ｓ１６、図１０（Ｂ））。【０１００】
基地局１０の再送粒度制御部２６は、ＮＡＣＫに対応するグループ＃１にＣＢに含まれる再送ビットを特定し（図１０（Ｃ））、再送ビット選択部１５は特定した再送ビットを変調部１６に出力し、再送データ信号が移動局３０に送信される（Ｓ１７〜Ｓ１９）。【０１０１】
移動局３０のＡＣＫ／ＮＡＣＫ情報生成部４４は、グループ＃１のＣＢに含まれる再送ビットに誤りがないとＡＣＫを生成し、基地局１０に送信する（図１０（Ｄ））。【０１０２】
本第３の実施例では、移動局３０は空間多重度に応じた個数のＡＣＫ及びＮＡＣＫに切り替えてフィードバックしているため、常にＴＢ単位またはＣＢ単位でＡＣＫ及びＮＡＣＫをフィードバックする場合と比較して、周波数利用効率を向上させることができる。【０１０３】
なお、本第３の実施例において、上りリンクの空間多重度は「２」の例で説明したが、空間多重度が「３」以上の場合でも同様に実施できる。【０１０４】
＜第４の実施例＞
次に第４の実施例について説明する。第４の実施例は、下りリンクがＭＩＭＯ伝送で、複数のＴＢが送信される場合の例である。移動局３０がＡＣＫ及びＮＡＣＫの各情報をフィードバックするタイミングでＰＵＳＣＨの割り当てがない場合とある場合で説明する。【０１０５】
まず、ＰＵＳＣＨの割り当てがない場合について説明する。移動局３０がＰＵＣＣＨを用いて送信する場合の最大変調多値数は「２」とする。【０１０６】
基地局１０は、４つのＴＢ（コードワード＃１〜コードワード＃４）のデータ信号を、４つの送信アンテナ１８‐１〜１８‐４を用いてＭＩＭＯ伝送（空間多重度「４」）により送信する（Ｓ１０、図１１（Ａ））。【０１０７】
次いで、移動局３０の再送粒度制御部４３は、４個のＴＢを最大変調多値数に等しい「２」つのグループに分割する（図１１（Ｂ））。ＡＣＫ／ＮＡＣＫ情報生成部４４は、グループ＃１に含まれるＣＢに誤りがあり、グループ＃２に含まれるＣＢはすべて誤りがないため、（ＮＡＣＫ，ＡＣＫ）を生成する。生成された（ＮＡＣＫ，ＡＣＫ）は基地局１０に送信される（Ｓ１６）。【０１０８】
基地局１０の再送粒度制御部２６は、同様にグループ化を行い（Ｓ１７）、ＮＡＣＫに対応するグループ＃１のＣＢ（コードワード＃１のＣＢ＃１〜ＣＢ＃４と、コードワード＃２に含まれるＣＢ＃１〜ＣＢ＃４）に含まれる再送ビットを特定する。再送ビット選択部１５は特定された再送ビットに対応するものを選択し、変調部１６に出力する。再送対象のデータ信号が基地局１０から移動局３０に送信される（Ｓ１９、図１１（Ｃ））。【０１０９】
移動局３０のＡＣＫ／ＮＡＣＫ情報生成部４４は、再送されたグループ＃１に含まれるＣＢに誤りがないためＡＣＫ情報を生成し、移動局３０に送信する（Ｓ２０〜Ｓ２１、図１１（Ｄ））。【０１１０】
次に、ＰＵＳＣＨが割り当てられた場合の例について説明する。【０１１１】
基地局１０は、４つのＴＢを、空間多重度「４」のＭＩＭＯ伝送により送信する（Ｓ１０、図１２（Ａ））。また、基地局１０は、ＰＵＳＣＨ割り当てあり、ＲＢ数「２」、ＭＣＳ（変調方式「１６ＱＡＭ」で符号化率「１／２」）の各情報を含む制御信号を移動局３０に送信する（Ｓ１１）。【０１１２】
移動局３０は、ＭＣＳ及びＲＢ数に基づいて、再送粒度決定テーブルからグループ数「４」を決定し、４つのＴＢを４つのグループに分割する（Ｓ１３、図１２（Ｂ））。そして、移動局３０はグループ＃１，＃２に含まれるＣＢに誤りがあり、グループ＃３，４に誤りがないため、（ＮＡＣＫ，ＮＡＣＫ，ＡＣＫ，ＡＣＫ）を生成し、基地局１０にフィードバックする（Ｓ１６）。【０１１３】
基地局１０は、グループ＃１，＃２に含まれる再送データを送信する（Ｓ１９、図１２（Ｃ））。【０１１４】
移動局３０は、再送されたグループ＃１，＃２に含まれる再送データに誤りがないため、ＡＣＫを基地局１０にフィードバックする（図１２（Ｄ））。【０１１５】
図１３（Ａ）〜同図（Ｄ）の例は、ＰＵＳＣＨの割り当てがあり、ＲＢ数は「１０」、変調方式は「６４ＱＡＭ」、符号化率は「８／９」の場合の例である。【０１１６】
再送粒度決定テーブルは、図７以外でも、さらに多くのＭＣＳ、ＲＢ数がある場合もある。図１４は再送粒度決定テーブルの他の例を示す図である。【０１１７】
移動局３０は、図１４に示す再送粒度決定テーブルを用いた場合、グループ化の個数は「８」となる。移動局３０は、図１３（Ｂ）に示すように、４つのＴＢを８個のグループに分割する（Ｓ１３、図１３（Ｂ））。そして、移動局３０は、（ＮＡＣＫ，ＡＣＫ，ＮＡＣＫ，ＮＡＣＫ，ＡＣＫ，ＡＣＫ，ＡＣＫ，ＡＣＫ）をフィードバックする。【０１１８】
基地局１０は、ＮＡＣＫに対応するグループ＃１，＃３，＃４に含まれるＣＢの送信ビットを再送ビットとして選択して再送する（Ｓ１９、図１３（Ｃ））。【０１１９】
移動局３０は、再送されたグループ＃１，＃３，＃４に含まれるＣＢに誤りがないため、（ＡＣＫ）をフィードバックする（図１３（Ｄ））。【０１２０】
本第４の実施例では、移動局３０は、複数のＴＢをＭＩＭＯ伝送により同時に受信した場合でも、割り当てられたチャネルの種類に応じて、グループ化の数を切り替えて、切り替えたグループに応じた個数のＡＣＫ及びＮＡＣＫを送信している。従って、移動局３０が常にＴＢ単位またはＣＢ単位でＡＣＫ及びＮＡＣＫを送信する場合と比較して、移動局３０はチャネルの種類に応じた最適な個数のＡＣＫ及びＮＡＣＫをフィードバックすることができるため、周波数利用効率の向上を図ることができる。【０１２１】
また、本第４の実施例では、移動局３０は、複数のＴＢをＭＩＭＯ伝送により同時に受信した場合でも、ＰＵＳＣＨが割り当てられた場合にＭＣＳに応じて、ＡＣＫ及びＮＡＣＫの送信個数を切り替えるようにしている。従って、常にＴＢ単位またはＣＢ単位でＡＣＫ及びＮＡＣＫを送信する場合と比較して、第２の実施例と同様に、周波数利用効率を向上させることができる。【０１２２】
さらに、移動局３０は、複数のＴＢをＭＩＭＯ伝送により同時に受信した場合でも、ＰＵＳＣＨが割り当てられた場合にＲＢ数に対応する個数のＡＣＫ及びＮＡＣＫに切り替えて送信している。従って、移動局３０は、第２の実施例と同様に、上りリンク方向における周波数利用効率を向上させることができる。【０１２３】
なお、本第４の実施例では、下りリンクの空間多重度は「４」で説明したが、「４」以外の空間多重度でも同様に実施できる。【０１２４】
＜第５の実施例＞
次に第５の実施例について説明する。第５の実施例は、下りリンクでＭＩＭＯ空間多重伝送モード（空間多重度「４」）、上りリンクもＭＩＭＯ空間多重伝送モード（空間多重度「２」）の場合の例である。本第５の実施例も、移動局３０がＡＣＫ及びＮＡＣＫをフィードバックするタイミングでＰＵＳＣＨの割り当てがない場合とある場合で説明する。【０１２５】
図１５（Ａ）〜同図（Ｄ）は、ＰＵＳＣＨの割り当てがない場合のグループ化の例等を示す図である。ＰＵＣＣＨで送信するときの最大変調多値数は、例えば「２」（例えばＱＰＳＫ）とする。【０１２６】
基地局１０は、データ信号を４つのＴＢ（コードワード＃１〜＃４）で送信する（Ｓ１０、図１５（Ａ））。【０１２７】
次いで、移動局３０は、データ信号を復調及び復号し（Ｓ１２）、４ＴＢを「２」（最大変調多値数）×「２」（空間多重度）＝４の個数にグループ化する。移動局３０は、１番目のＴＢ（コードワード＃１）をグループ＃１、２番目のコードワード＃２をグループ＃２と順次グループ化する（図１５（Ｂ））。なお、上り方向の空間多重度「２」は制御信号として基地局１０から送信される。【０１２８】
次いで、移動局３０は、ＣＲＣ判定結果に基づいて、グループ＃１，＃２に対してＮＡＣＫ、グループ＃３，＃４に対してＡＣＫを生成し、送信アンテナ４７‐１から（ＮＡＣＫ，ＮＡＣＫ）、送信アンテナ４７‐２から（ＡＣＫ，ＡＣＫ）を送信する（Ｓ１４〜Ｓ１６）。【０１２９】
次いで、基地局１０は、ＮＡＣＫに対応するグループ＃１，＃２に含まれるコードブロックの送信ビットを選択し、送信ビットを含むデータ信号を再送する（Ｓ１７〜Ｓ１９、図１５（Ｃ））。【０１３０】
次いで、移動局３０は再送されたデータ信号に対して、ＣＲＣ判定を行い、誤りがないため（ＡＣＫ）をフィードバックする（Ｓ２０〜Ｓ２１、図１５（Ｄ））。【０１３１】
この例の場合、複数のＴＢがＴＢ単位でグループ化され、ＴＢ単位でＡＣＫ及びＮＡＣＫの送信及びデータ信号の再送が行われる。【０１３２】
図１６（Ａ）〜図１６（Ｄ）は、ＰＵＳＣＨの割り当てがある場合のグループ化の例等を示す図である。基地局１０は、データ信号を４つのＴＢで送信する（Ｓ１０）。また、基地局１０は、ＰＵＳＣＨの割り当てあり、ＲＢ数「２」、上り方向の空間多重度は「２」、１番目の上りリンクは変調方式「１６ＱＡＭ」で符号化率「２／３」、２番目の上りリンクは変調方式「ＱＰＳＫ」で符号化率「１／６」の各情報を含む制御信号を送信する（Ｓ１１、図１６（Ａ））。【０１３３】
次いで、移動局３０は、再送粒度決定テーブル（図１４）から、「１６ＱＡＭ」のリンクに対してはグループ数「４」、「ＱＰＳＫ」のリンクに対してはグループ数「２」を読み出し、４つのＴＢを６個のグループに分割する（Ｓ１３、図１６（Ｂ））。【０１３４】
次いで、移動局３０は、ＣＲＣ判定結果に基づいて、グループ＃１〜＃３に対してＮＡＣＫ、グループ＃４〜＃６に対してＡＣＫを生成する。「１６ＱＡＭ」のリンクに対して送信アンテナ４７‐１から（ＮＡＣＫ，ＮＡＣＫ，ＮＡＣＫ，ＡＣＫ）、「ＱＰＳＫ」のリンクに対して送信アンテナ４７‐２から（ＡＣＫ，ＡＣＫ）が送信される（Ｓ１６）。【０１３５】
次いで、基地局１０は、グループ＃１〜＃３のデータ信号を再送する（Ｓ１９、図１６（Ｃ））。移動局３０は、再送されたグループ＃１〜＃３に含まれるデータ信号に対してＣＲＣ判定を行い、誤りがないため、ＡＣＫをフィードバックする（Ｓ２０〜Ｓ２１）。【０１３６】
図１７（Ａ）〜同図（Ｄ）も、ＰＵＳＣの割り当てがある場合のグループ化の他の例等を示す図である。【０１３７】
この例では、ＲＢ数「５」、上り方向の空間多重度「２」、ＭＣＳは１つ目の上りリンクに対して変調方式「１６ＱＡＭ」で符号率「１／２」、他の上りリンクに対して変調方式「ＱＰＳＫ」で符号化率「１／６」である。【０１３８】
移動局３０は、再送粒度決定テーブルから、「１６ＱＡＭ」のリンクに対して「５」、「ＱＰＳＫ」のリンクに対して「３」のグループ数を読み出す。移動局３０は、４つのＴＢを「８」グループに分割する。移動局３０は、グループ＃１，＃３，＃４にＮＡＣＫ、それ以外のグループにＡＣＫを生成する。移動局３０からは、送信アンテナ４７‐１から（ＮＡＣＫ，ＡＣＫ，ＮＡＣＫ，ＮＡＣＫ，ＡＣＫ）、送信アンテナ４７‐２から（ＡＣＫ，ＡＣＫ，ＡＣＫ）を送信する（Ｓ１３〜Ｓ１６、図１７（Ｂ））。【０１３９】
基地局１０はＮＡＣＫに対応するデータ信号を再送し、移動局３０はＣＲＣ判定から誤りがないため、ＡＣＫをフィードバックする（Ｓ１７〜Ｓ２１、図１７（Ｃ）〜同図（Ｄ））。【０１４０】
本第５の実施例において、移動局３０は、下りリンクにおいてＭＩＭＯ伝送により複数のＴＢを同時に受信した場合でも、上りリンクで空間多重度に応じた個数のＡＣＫ及びＮＡＣＫに切り替えて、フィードバックしているため、常にＴＢ単位またはＣＢ単位のＡＣＫ及びＮＡＣＫをフィードバックする場合と比較して、周波数利用効率を向上させることができる。また、その場合に、チャネルの種類、ＭＣＳの種類、またはＲＢ数に応じた個数のＡＣＫ及びＮＡＣＫに切り替えてフィードバックしているため、第２の実施例と同様に、周波数利用効率を向上させることができる。【０１４１】
なお、本第５の実施例において、上りリンク及び下りリンクの空間多重度はそれぞれ「４」及び「２」以外でも実施できる。【０１４２】
＜その他の実施例＞
第２〜第５の実施例において、ＰＵＣＣＨを用いた場合の最大変調多値数は「２」として説明した。上述した実施例において、それ以外の最大変調多値数でも実施できる。ただし、最大変調多値数が「２」のとき、例えば変調方式はＱＰＳＫに対応し、「４」のときは「１６ＱＡＭ」に対応する等、最大変調多値数と変調方式とが１対１の関係が成立することが望ましい。従って、第２〜第５の実施例において、最大変調多値数に応じたグループに分割するとして説明したが、変調方式に応じたグループに分割すると言い換えることもできる。例えば、変調方式が「ＱＰＳＫ」の場合、グループ化の数は「２」、変調方式が「１６ＱＡＭ」の場合、グループ化の個数は「４」等とすることができる。例えば、上り方向でＭＩＭＯ伝送するときも、（（変調方式に応じたグループ化の数）×（空間多重度））として示すこともできる。また、最大変調多値数以下の変調方式により、移動局３０と基地局１０はグループ化してもよい。この場合にどの変調方式（例えば、変調多値数が最も小さい値の変調方式など）とするかは予め移動局３０と基地局１０とで決めておくことが望ましい。【０１４３】
また、第２〜第５の実施例において、ＡＣＫ及びＮＡＣＫを送信するチャネルの種類がＰＵＳＣＨのとき、ＭＣＳの種類に応じてグループ化を行った。例えば、移動局３０の再送粒度制御部４３は、チャネルの種類に拘わらず、ＭＣＳの種類に応じてグループ化するようにしてもよい。ＭＣＳは、例えば、制御信号として送信されるため、移動局３０は制御信号に含まれるＭＣＳに応じてグループ化を行うことができる。例えば、変調方式が６４ＱＡＭの場合、変調方式がＱＰＳＫの場合と比較して、伝送量が多くなるため、グループ化の個数を多くし、１回の送信で送信できるＡＣＫ及びＮＡＣＫの個数を多くすることができる。例えば、再送粒度決定テーブルには、ＭＣＳの種類とグループ化の個数との対応関係を示すテーブルが記憶されてもよい。ＭＣＳの種類に応じた最適な個数のＡＣＫ及びＮＡＣＫがフィードバックされるため、常にＴＢ単位またはＣＢ単位のＡＣＫ及びＮＡＣＫをフィードバックする場合と比較して、周波数利用効率を向上させることができる。【０１４４】
さらに、第２〜第５の実施例において、チャネルの種類がＰＵＳＣＨのとき、ＲＢ数に応じてグループ化を行った。この場合も、チャネルの種類に拘わらず、ＲＢ数に応じてグループ化してもよい。例えば、制御信号にＲＢ数が含まれている場合に、ＲＢ数が閾値以上のときと、閾値より低いときとで、グループ化の数を異なるようにしてもよい。この場合、再送粒度決定テーブルは、ＲＢ数とグループ化の個数との対応関係を示すテーブルが記憶されてもよい。ＲＢ数に応じた最適な個数のＡＣＫ及びＮＡＣＫがフィードバックされるため、常にＴＢ単位またはＣＢ単位のＡＣＫ及びＮＡＣＫをフィードバックする場合と比較して、周波数利用効率を向上させることができる。【０１４５】
さらに、移動局３０は、チャネルの種類、ＭＣＳ、ＲＢ数、または空間多重度を適宜組み合わせて、それぞれに応じてグループ化の個数を切り替えるようにしてもよい。【０１４６】
さらに、第１〜第５の実施例において、再送されないグループのために空いたリソースが発生する場合もある。例えば、図５（Ｃ）のグループ＃２などである。この場合、基地局１０は空いたリソースを利用して新規データパケットを送信してもよいし、他の移動局３０に対するリソースとして利用してもよい。【０１４７】
さらに、移動局３０と基地局１０は、第２〜第５の実施例で説明したものを適宜切り替えて実施できる。例えば、基地局１０から複数のＴＢが送信される場合、移動局３０と基地局１０は第４または第５の実施例で説明した動作を実行し、上り方向でＭＩＭＯ伝送する場合に切り替えられた場合、移動局３０と基地局１０は第２または第５の実施例で説明した動作に切り替えて実行する。
【図１】
2010109521.tif 000003
【図２】
2010109521.tif 000004
【図３】
2010109521.tif 000005
【図４】
2010109521.tif 000006
【図５】
2010109521.tif 000007
【図６】
2010109521.tif 000008
【図７】
2010109521.tif 000009
【図８】
2010109521.tif 000010
【図９】
2010109521.tif 000011
【図１０】
2010109521.tif 000012
【図１１】
2010109521.tif 000013
【図１２】
2010109521.tif 000014
【図１３】
2010109521.tif 000015
【図１４】
2010109521.tif 000016
【図１５】
2010109521.tif 000017
【図１６】
2010109521.tif 000018
【図１７】
2010109521.tif 000019
【図１８】
2010109521.tif 000020
【図１９】
2010109521.tif 000021
【国際調査報告】
2010109521.tif 000022
2010109521.tif 000023
2010109521.tif 000024
2010109521.tif 000025